【手続補正書】
【提出日】平成15年10月30日(2003.10.30)
【手続補正１】
【補正対象書類名】明細書
【補正対象項目名】請求項４
【補正方法】変更
【補正の内容】
【請求項４】
前記受信部は、前記ＶＬＡＮグループのいずれにも登録されていないＶＬＡＮグループであるデフォルトＶＬＡＮグループに属する前記ネットワーク機器から当該ネットワーク機器の前記機器識別情報を受信し、
前記設定部は、前記受信部が受信した前記機器識別情報が、前記ＶＬＡＮ情報データベースに格納されている場合、前記デフォルトＶＬＡＮグループに属する前記ネットワーク機器を、前記機器識別情報に対応づけて前記ＶＬＡＮ情報データベースに格納される前記ＶＬＡＮグループに設定する
ことを特徴とする請求項１に記載のネットワーク管理装置。
【手続補正２】
【補正対象書類名】明細書
【補正対象項目名】請求項５
【補正方法】変更
【補正の内容】
【請求項５】
前記ＶＬＡＮ情報データベースは、前記ＶＬＡＮグループに対応づけて、前記ネットワーク機器の利用者の識別情報である利用者識別情報をさらに格納し、
前記受信部は、受信した前記機器識別情報が前記ＶＬＡＮ情報データベースに格納されていない場合、前記デフォルトＶＬＡＮグループに属する前記ネットワーク機器から前記利用者識別情報をさらに受信し、
前記データベース更新部は、前記受信部が受信した前記利用者識別情報が前記ＶＬＡＮ情報データベースに格納されている場合、前記利用者識別情報及び前記ＶＬＡＮグループに対応づけて、前記受信部が受信した前記機器識別情報を前記ＶＬＡＮ情報データベースに格納し、
前記設定部は、前記デフォルトＶＬＡＮグループに属する前記ネットワーク機器を、当該ネットワーク機器の前記機器識別情報に対応づけて前記ＶＬＡＮ情報データベースに格納される前記ＶＬＡＮグループに設定する
ことを特徴とする請求項４に記載のネットワーク管理装置。
【手続補正３】
【補正対象書類名】明細書
【補正対象項目名】請求項１３
【補正方法】変更
【補正の内容】
【請求項１３】
前記受信モジュールは、前記ＶＬＡＮグループのいずれにも登録されていないＶＬＡＮグループであるデフォルトＶＬＡＮグループに属する前記ネットワーク機器から当該ネットワーク機器の前記機器識別情報を受信し、
前記設定モジュールは、前記受信モジュールが受信した前記機器識別情報が、前記ＶＬＡＮ情報データベースに格納されている場合、前記デフォルトＶＬＡＮグループに属する前記ネットワーク機器を、前記機器識別情報に対応づけて前記ＶＬＡＮ情報データベースに格納される前記ＶＬＡＮグループに設定する
ことを特徴とする請求項１１に記載のネットワーク管理プログラム。
【手続補正４】
【補正対象書類名】明細書
【補正対象項目名】請求項１４
【補正方法】変更
【補正の内容】
【請求項１４】
前記ＶＬＡＮ情報データベースは、前記ＶＬＡＮグループに対応づけて、前記ネットワーク機器の利用者の識別情報である利用者識別情報をさらに格納し、
前記受信モジュールは、受信した前記機器識別情報が前記ＶＬＡＮ情報データベースに格納されていない場合、前記デフォルトＶＬＡＮグループに属する前記ネットワーク機器から前記利用者識別情報をさらに受信し、
前記データベース更新モジュールは、前記受信モジュールが受信した前記利用者識別情報が前記ＶＬＡＮ情報データベースに格納されている場合、前記利用者識別情報及び前記ＶＬＡＮグループに対応づけて、前記受信モジュールが受信した前記機器識別情報を前記ＶＬＡＮ情報データベースに格納し、
前記設定モジュールは、前記デフォルトＶＬＡＮグループに属する前記ネットワーク機器を、当該ネットワーク機器の前記機器識別情報に対応づけて前記ＶＬＡＮ情報データベースに格納される前記ＶＬＡＮグループに設定する
ことを特徴とする請求項１３に記載のネットワーク管理プログラム。
【手続補正５】
【補正対象書類名】明細書
【補正対象項目名】請求項２２
【補正方法】変更
【補正の内容】
【請求項２２】
前記受信段階は、前記ＶＬＡＮグループのいずれにも登録されていないＶＬＡＮグループであるデフォルトＶＬＡＮグループに属する前記ネットワーク機器から当該ネットワーク機器の前記機器識別情報を受信し、
前記設定段階は、前記受信段階において受信した前記機器識別情報が、前記ＶＬＡＮ情報データベースに格納されている場合、前記デフォルトＶＬＡＮグループに属する前記ネットワーク機器を、前記機器識別情報に対応づけて前記ＶＬＡＮ情報データベースに格納される前記ＶＬＡＮグループに設定する
ことを特徴とする請求項２０に記載のネットワーク管理方法。
【手続補正６】
【補正対象書類名】明細書
【補正対象項目名】請求項２３
【補正方法】変更
【補正の内容】
【請求項２３】
前記ＶＬＡＮ情報データベースは、前記ＶＬＡＮグループに対応づけて、前記ネットワーク機器の利用者の識別情報である利用者識別情報をさらに格納し、
前記受信段階は、受信した前記機器識別情報が前記ＶＬＡＮ情報データベースに格納されていない場合、前記デフォルトＶＬＡＮグループに属する前記ネットワーク機器から前記利用者識別情報をさらに受信し、
前記データベース更新段階は、前記受信段階において受信した前記利用者識別情報が前記ＶＬＡＮ情報データベースに格納されている場合、前記利用者識別情報及び前記ＶＬＡＮグループに対応づけて、前記受信段階において受信した前記機器識別情報を前記ＶＬＡＮ情報データベースに格納し、
前記設定段階は、前記デフォルトＶＬＡＮグループに属する前記ネットワーク機器を、当該ネットワーク機器の前記機器識別情報に対応づけて前記ＶＬＡＮ情報データベースに格納される前記ＶＬＡＮグループに設定する
ことを特徴とする請求項２２に記載のネットワーク管理方法。
【手続補正７】
【補正対象書類名】明細書
【補正対象項目名】請求項３１
【補正方法】変更
【補正の内容】
【請求項３１】
前記受信部は、前記ＶＬＡＮグループのいずれにも登録されていないＶＬＡＮグループであるデフォルトＶＬＡＮグループに属する前記ネットワーク機器から当該ネットワーク機器の前記機器識別情報を受信し、
前記設定部は、前記受信部が受信した前記機器識別情報が、前記ＶＬＡＮ情報データベースに格納されている場合、前記デフォルトＶＬＡＮグループに属する前記ネットワーク機器を、前記機器識別情報に対応づけて前記ＶＬＡＮ情報データベースに格納される前記ＶＬＡＮグループに設定する
ことを特徴とする請求項２９に記載のコンピュータネットワークシステム。
【手続補正８】
【補正対象書類名】明細書
【補正対象項目名】請求項３２
【補正方法】変更
【補正の内容】
【請求項３２】
前記ＶＬＡＮ情報データベースは、前記ＶＬＡＮグループに対応づけて、前記ネットワーク機器の利用者の識別情報である利用者識別情報をさらに格納し、
前記受信部は、受信した前記機器識別情報が前記ＶＬＡＮ情報データベースに格納されていない場合、前記デフォルトＶＬＡＮグループに属する前記ネットワーク機器から前記利用者識別情報をさらに受信し、
前記データベース更新部は、前記受信部が受信した前記利用者識別情報が前記ＶＬＡＮ情報データベースに格納されている場合、前記利用者識別情報及び前記ＶＬＡＮグループに対応づけて、前記受信部が受信した前記機器識別情報を前記ＶＬＡＮ情報データベースに格納し、
前記設定部は、前記デフォルトＶＬＡＮグループに属する前記ネットワーク機器を、当該ネットワーク機器の前記機器識別情報に対応づけて前記ＶＬＡＮ情報データベースに格納される前記ＶＬＡＮグループに設定する
ことを特徴とする請求項３１に記載のコンピュータネットワークシステム。
【手続補正９】
【補正対象書類名】明細書
【補正対象項目名】０００８
【補正方法】変更
【補正の内容】
【０００８】
受信部は、ＶＬＡＮグループのいずれにも登録されていないＶＬＡＮグループであるデフォルトＶＬＡＮグループに属するネットワーク機器から当該ネットワーク機器の機器識別情報を受信し、設定部は、受信部が受信した機器識別情報が、ＶＬＡＮ情報データベースに格納されている場合、デフォルトＶＬＡＮグループに属するネットワーク機器を、機器識別情報に対応づけてＶＬＡＮ情報データベースに格納されるＶＬＡＮグループに設定してもよい。


【手続補正１０】
【補正対象書類名】明細書
【補正対象項目名】０００９
【補正方法】変更
【補正の内容】
【０００９】
ＶＬＡＮ情報データベースは、ＶＬＡＮグループに対応づけて、ネットワーク機器の利用者の識別情報である利用者識別情報をさらに格納し、受信部は、受信した機器識別情報がＶＬＡＮ情報データベースに格納されていない場合、デフォルトＶＬＡＮグループに属するネットワーク機器から利用者識別情報をさらに受信し、データベース更新部は、受信部が受信した利用者識別情報がＶＬＡＮ情報データベースに格納されている場合、利用者識別情報及びＶＬＡＮグループに対応づけて、受信部が受信した機器識別情報をＶＬＡＮ情報データベースに格納し、設定部は、デフォルトＶＬＡＮグループに属するネットワーク機器を、当該ネットワーク機器の機器識別情報に対応づけてＶＬＡＮ情報データベースに格納されるＶＬＡＮグループに設定してもよい。